(57)【要約】【課題】簡単な構造を有し容易に取り付けることができ、前記チューナに漏れる妨害電力を上面カバーに確実に導通させ、妨害電力によるノイズや機器の障害等の不具合を低減することができる電子機器を提供する。【解決手段】シャーシ１と、上面カバー２と、メイン基板３と、メイン基板３に実装されるチューナ４と、入力端子４１と接触する接触部５１、妨害電力を上面カバー２に導通させる接地部５２、接触部５１と接地部５２を連結する連結部５３とを具備する接地部材５とを有し、シャーシ１と上面カバー２とを固定するボルトＢｔを用いて接地部材５の接地部５２を共締めする。【選択図】図２
2007207370.tif 000002
【特許請求の範囲】
【請求項１】
矩形状の下面の両側部に該下面に対して垂直に立設されたブラケットを具備するシャーシと、
前記シャーシの上部を覆う矩形状の天板と該天板の両側端より該天板に対して垂直に一体的に伸びる脚部とを具備し導電性を有するとともに接地される上面カバーと、
信号が入力される入力端子と信号が出力される出力端子とを具備し、前記ブラケットの近傍に前記入力端子及び出力端子が前記シャーシの背面に向くように配置された直方体形状のチューナと、
前記シャーシ内に配置されビデオカセットを記録媒体とするＶＴＲ記録再生部と、
前記シャーシ内に配置されＤＶＤを記録媒体とするＤＶＤ再生部とを備えたＶＴＲ一体型ＤＶＤプレーヤであって、
前記ＶＴＲ一体型ＤＶＤプレーヤは、前記入力端子が貫通するとともに該入力端子と接触し前記チューナの前記ブラケット側の側面に回り込むように屈折された接触部と、前記ブラケットと前記上面カバーの脚部との間に配置され貫通孔が形成された接続部と、前記接触部の回りこむように屈曲した部分と前記チューナの上部で一体的に連結し且つ前記接続部と前記ブラケットの上部で一体的に連結した連結部とを具備する接地部材を有しており、前記接続部の前記貫通孔に前記ブラケットと前記上面カバーの脚部を固定するボルトを貫通させ共締めすることを特徴とするＶＴＲ一体型ＤＶＤプレーヤ
【請求項２】
矩形状の下面の両側部に該下面に対して垂直に立設されたブラケットを具備するシャーシと、
前記シャーシの上部を覆う矩形状の天板と該天板の両側端より該天板に対して垂直に一体的に伸びる脚部とを具備し、導電性を有するとともに接地される上面カバーと、
少なくとも信号が入力される入力端子を具備し、前記ブラケットの近傍に前記入力端子及び前記出力端子が前記シャーシの背面に向くように配置された直方体形状のチューナとを備えた電子機器であって、
前記電子機器は、前記入力端子と接触した接触部と、前記ブラケットと前記上面カバーの脚部との間に配置され貫通孔が形成された接続部と、前記接触部と前記接続部とを連結する連結部とを備える接地部材を有しており、
前記接続部の前記貫通孔に前記ブラケットと前記上面カバーの脚部を固定するボルトを貫通させ共締めすることを特徴とする電子機器。
【請求項３】
前記接触部が前記入力端子が貫通するとともに該入力端子と接触することを特徴とする請求項２に記載の電子機器。
【請求項４】
前記接続部が前記連結部と前記チューナの上面で連結することを特徴とする請求項２又は請求項３に記載の電子機器。
【請求項５】
前記接続部は前記チューナの側面に回り込むように屈折されており、該屈折された部分が前記連結部と連結していることを特徴とする請求項２から請求項４のいずれかに記載の電子機器。
【請求項６】
前記接地部材が導電性を有する金属板をプレス加工にて切り曲げて形成されることを特徴とする請求項２から請求項５のいずれかに記載の電子機器。
【発明の詳細な説明】
【技術分野】
【０００１】
本発明はＶＴＲ一体型ＤＶＤプレーヤ、ＴＶ受像機等の電子機器の基板に取り付けられるチューナの接地を行うものであり、アンテナよりチューナへ入力される信号に含まれる妨害電力による不具合の発生を抑制することができる電子機器に関するものである。
【背景技術】
【０００２】
ＴＶ受像機、ＶＴＲ、ＤＶＤ等の電子機器はテレビ放送を受信するためのチューナを備えている。前記チューナはケーブルを介してアンテナで受信されたテレビ放送が入力されるものである。テレビ放送は、高周波の電気信号であり、高周波の電気信号をチューナに入力するときには妨害電力（不要輻射）による電子機器への障害やデータノイズの発生等の障害が発生することがある。この障害の対策として前記ジャックを電子機器の金属製のシャーシに接地することが行われている。前記チューナの入力端子を接地することで、テレビ放送の入力とともに発生する妨害電力（不要輻射）による不具合の発生を低減している。
【０００３】
図１３に従来のＶＴＲのチューナに取り付けられている接地部の概略図を示す。図１３に示すＶＴＲは、シャーシ９１と、シャーシ９１の上部を覆う上面カバー９２と、シャーシ９１の上にシャーシと絶縁された状態で配置されている基板９３と、基板９３に実装されるチューナ９４とを有している。
【０００４】
上面カバー９２は、シャーシ９１の上面を覆う天板９２１と、天板９２１の側部より垂直に伸びる脚部９２２とを有している。上面カバー９２は導電性を有する金属で形成されており、図示は省略しているが接地されている。
【０００５】
チューナ９４はテレビ放送が入力される入力端子９４１と、テレビ放送を外部機器に出力する出力端子９４２とを備えている。チューナ９４には接地部材９５が取り付けられており、接地部材９５は入力端子９４１と接触し係合する接触部９５１と、上面カバー９２の天板９２１と接触する接地部９５２と、接触部９５１と接地部９５２とを連結する連結部９５３とを有している。
【０００６】
接地部材９５は金属板をプレス加工にて切り曲げることで形成されるものであり、接触部９５１、連結部９５３及び接地部９５２は一体に形成されている。また、接地部材９５は導電性を有しており、接地部９５２が常に天板９２１に常時接触することができるように、弾性を有する材料を用いて形成されている。
【０００７】
このように、接地部材９５にてチューナ９４の入力端子９４１を天板９２１に接地することで、入力端子９４１に入力される妨害電力を上面カバー９２に逃し、妨害電力による不具合が発生するのを低減している。
【０００８】
また、例えば、特開２００５−２９５０２０号公報に示す発明は、チューナの上面で端子から離れた位置にアース用のリード線を接続して、アースを行い、不要輻射を低減するものが示されている。
【特許文献１】特開２００５−２９５０２０号公報
【発明の開示】
【発明が解決しようとする課題】
【０００９】
しかしながら、図１３に示すチューナ９４の接地部材９５では、接地部９５２は弾性力で少なくとも先端を天板９２１に押さえつけることで接触し導通状態にするものである、この場合、接地部９５２（すなわち一体に形成されるので接地部材９５）を構成する材料が弾性を有する材料に限定されてしまい、製造の自由度が低下するとともにコストが高くなる。また、接地部９５２が弾性を有する形状で形成していても、長さや形状によっては、接地部９５２が天板９２１に接触しない可能性もあり、接地状態が不安定になる場合もある。
【００１０】
また、接地部材９５はチューナ９４の入力端子９４１と係合しているだけで、他の部分では支持又は固定されておらず、そのため、電子機器を移動したり、衝撃を受けたりすると、接地部材９５がずれ、接地状態が不安定になる可能性がある。
【００１１】
また、特開２００５−２９５０２０号公報に記載の発明では、リード線を用いてアースを行っており、別途リード線が必要となる。また、リード線が取り付けられるポイントが端子の近傍ではないので、前記端子から入力される信号によって発生する妨害電力（不要輻射）を効率よく抑えるのは困難である。
【００１２】
そこで本発明は、簡単な構造を有し容易に取り付けることができ、前記チューナに漏れる妨害電力を上面カバーに確実に導通させ、妨害電力によるノイズや機器の障害等の不具合を低減することができる電子機器を提供することを目的とする。
【課題を解決するための手段】
【００１３】
上記目的を達成するために本発明は、矩形状の下面の両側部に該下面に対して垂直に立設されたブラケットを具備するシャーシと、前記シャーシの上部を覆う矩形状の天板と該天板の両側端より該天板に対して垂直に一体的に伸びる脚部とを具備し導電性を有するとともに接地される上面カバーと、信号が入力される入力端子と信号が出力される出力端子とを具備し、前記ブラケットの近傍に前記入力端子及び出力端子が前記シャーシの背面に向くように配置された直方体形状のチューナと、前記シャーシ内に配置されビデオカセットを記録媒体とするＶＴＲ記録再生部と、前記シャーシ内に配置されＤＶＤを記録媒体とするＤＶＤ再生部とを備えたＶＴＲ一体型ＤＶＤプレーヤであって、前記ＶＴＲ一体型ＤＶＤプレーヤは、前記入力端子が貫通するとともに該入力端子と接触し前記チューナの前記ブラケット側の側面に回り込むように屈折された接触部と、前記ブラケットと前記上面カバーの脚部との間に配置され貫通孔が形成された接続部と、前記接触部の回りこむように屈曲した部分と前記チューナの上部で一体的に連結し且つ前記接続部と前記ブラケットの上部で一体的に連結した連結部とを具備する接地部材を有しており、前記接続部の前記貫通孔に前記ブラケットと前記上面カバーの脚部を固定するボルトを貫通させ共締めすることを特徴とする。
【００１４】
この構成によると、前記接地部材の前記接触部を前記チューナの前記入力端子に係合させ、前記接地部を前記ブラケット及び前記上面カバーの脚部とボルトにて共締めするので、接地部材が前記入力端子及び前記脚部から離れるのを防ぐことができる。
【００１５】
これにより、前記入力端子を常時安定して前記脚部に接地することができ、前記入力端子に入力される妨害電力による不具合の発生を抑制することが可能である。
【００１６】
また、前記接地部材には弾性力を利用して前記上面カバーに押さえつける部分を有していないので、設置部材を製造するときの材質については、十分な導電性を有しておればよい。
【００１７】
このことは、単価の高い、高い弾性を有する材料を用いなくても前記接地部材を製造することができるので、それだけ、製造コストを低減することができる。
【００１８】
上記目的を達成するために本発明は、矩形状の下面の両側部に該下面に対して垂直に立設されたブラケットを具備するシャーシと、前記シャーシの上部を覆う矩形状の天板と該天板の両側端より該天板に対して垂直に一体的に伸びる脚部とを具備し、導電性を有するとともに接地される上面カバーと、少なくとも信号が入力される入力端子を具備し、前記ブラケットの近傍に前記入力端子及び前記出力端子が前記シャーシの背面に向くように配置された直方体形状のチューナとを備えた電子機器であって、前記電子機器は、前記入力端子と接触した接触部と、前記ブラケットと前記上面カバーの脚部との間に配置され貫通孔が形成された接続部と、前記接触部と前記接続部とを連結する連結部とを備える接地部材を有しており、前記接続部の前記貫通孔に前記ブラケットと前記上面カバーの脚部を固定するボルトを貫通させ共締めすることを特徴とする電子機器。
【００１９】
この構成によると、前記接地部材の前記接触部を前記チューナの前記入力端子に係合させ、前記接地部を前記ブラケット及び前記上面カバーの脚部とボルトにて共締めするので、接地部材が前記入力端子及び前記脚部から離れるのを防ぐことができる。
【００２０】
これにより、前記入力端子を常時安定して前記脚部に接地することができ、前記入力端子に入力される妨害電力による不具合の発生を抑制することが可能である。
【００２１】
また、前記接地部材には弾性力を利用して前記上面カバーに押さえつける部分を有していないので、設置部材を製造するときの材質については、十分な導電性を有しておればよい。
【００２２】
このことは、単価の高い、高い弾性を有する材料を用いなくても前記接地部材を製造することができるので、それだけ、製造コストを低減することができる。
【００２３】
上記構成において、前記接触部を前記入力端子が貫通するとともに該入力端子と接触するものであってもよい。
【００２４】
上記構成において、前記接続部が前記連結部と前記チューナの上面で連結するものであってもよく、前記チューナの側面に回り込むように屈曲して形成されており、該屈曲した部分が前記連結部と連結しているものであってもよい。
【００２５】
上記構成において、前記接地部材が導電性を有する金属板をプレス加工にて切り曲げて形成されるものであってもよい。
【発明の効果】
【００２６】
本発明によると、簡単な構造を有し容易に取り付けることができ、前記チューナに漏れる妨害電力を上面カバーに確実に導通させ、妨害電力によるノイズや機器の障害等の不具合を低減することができる電子機器を提供することができる。
【発明を実施するための最良の形態】
【００２７】
以下に本発明の実施形態を図面を参照して説明する。図１に本発明にかかる電子機器の一例であるＶＴＲ一体型ＤＶＤプレーヤの斜視図を、図２に図１に示すＶＴＲ一体型ＤＶＤプレーヤの要部の拡大した背面図を、図３に図２に示すＶＴＲ一体型ＤＶＤプレーヤの要部の側部から見た配置図を、図４に図２に示すＶＴＲ一体型ＤＶＤプレーヤの要部の上部から見た配置図を示す。
【００２８】
図１に示す電子機器Ａはそれには限定されないがここでは、ＶＴＲ一体型ＤＶＤプレーヤＡである。ＶＴＲ一体型ＤＶＤプレーヤＡは記録メディアにＤＶＤを採用するＤＶＤプレーヤと記録メディアにビデオカセット（Ｖｃ）を採用するＶＴＲとのハイブリッド型の電子機器である。ＶＴＲ一体型ＤＶＤプレーヤＡは少なくともシャーシ１と、上面カバー２と、メイン基板３と、メイン基板３に実装されるチューナ４と、チューナ４の接地を行う接地部材５とを有している。
【００２９】
図１に示すように、シャーシ１はＶＴＲ一体型ＤＶＤプレーヤＡの土台になるものであり、樹脂の一体成型にて製造される。シャーシ１には複数の電子部品を搭載したメイン基板３、ＶＴＲユニット６及びＤＶＤユニット７が取付固定されるものである。シャーシ１は、矩形状の底面１０と、底面１０の両側部に底面１０に対して直交する２個のブラケット１１とを備えている。ブラケット１１にはボルトＢｔと螺合し後述する上面カバー２の脚部２２が固定される雌ねじ１２が、それには限定されないが、ここでは、１個のブラケット１１に２個ずつ、計４個配置されている。
【００３０】
上面カバー２は、底面１０と対向する天板２１と、天板２１の両側端部から直交する方向に伸びる脚部２２とを有している。上面カバー２は金属板折り曲げて形成されている。脚部２２の内側には、シャーシ１の底面１０の側端部１０１と当接し、上面カバー２の位置決めを行うための位置決めリブ２２１が立設されている（図２参照）。また、シャーシ１に上面カバー２を配置したときに、ブラケット１１に形成された雌ねじ１２と重なる位置に、ボルトＢｔが貫通するボルト孔２２２が形成されている。上面カバー２は導電性を有しており、接地されている。接地の方法としては例えば、図示を省略した電源の接地部と接続する物をあげることができる。また、直接接地するもの等、接地を安定して行うことができるものを広く採用することができる。
【００３１】
チューナ４は直方体形状の箱体形状を有しており、前面４０１には、図示を省略したアンテナで受信したテレビ放送が入力される入力端子４１と、テレビ放送を外部の機器に出力する出力端子４２と、底面４０２にはメイン基板３と接続される接続端子４３とを有している。接続端子４３はメイン基板３に形成されたスルーホール３１に挿入され、スルーホール３１より突出した端部をメイン基板３の配線パターン（図示省略）にはんだ付けすることで、導電可能に実装される。
【００３２】
図５に図２に示すＶＴＲ一体型ＤＶＤプレーヤの要部に用いられる接地部材の正面図を、図６に図２に示すＶＴＲ一体型ＤＶＤプレーヤの要部に用いられる接地部材の側面図を、図７に図２に示すＶＴＲ一体型ＤＶＤプレーヤの要部に用いられる接地部材の平面図を示す。図５、図６、図７に示す接地部材５は、それには限定されないが、ここでは金属板をプレス加工にて切りまげて形成したものである。接地部材５はチューナ４の前面に配置され入力端子と接触する接触部５１と、上面カバー２と接触しチューナ４に流入した妨害電力を上面カバー２に導通させる接地部５２と、接触部５１と接地部５２を連結する連結部５３とを有している。
【００３３】
図５に示すように接触部５１にはチューナ４の入力端子４１が貫通するとともに、入力端子４１の側周部が接触する貫通孔５１１と、図６に示すようにチューナ４のブラケット１１と対向する側面に回り込んで配置される回り込み部５１２とを有している。
【００３４】
図６に示すように、接地部５２は湾曲した形状を有しているが、それに限定されるものではなく、チューナ４に接地部材５を取り付けたとき、ブラケット１１の雌ねじ１２と重なる形状のものを広く採用することができる。また、接地部５２の先端部の近傍で、雌ねじ１２と重なる部分にはボルトＢｔが貫通するボルト孔５２１が形成されている。
【００３５】
図５、図７に示すように連結部５３はチューナ４の上部に配置される支持部５３１と、支持部５３１とチューナ４からブラケット１１に向けて伸び、先端で接地部５２と連結する架渡し部５３２とを有している。図５、図６、図７に示す接地部材５では、支持部５３１及び架渡し部５３２は１枚の平板状に形成されており、それぞれ、チューナ４及びブラケット１１の上面と当接するものが示されているが、それに限定されるものではなく、接地部材５をチューナ４に安定して取り付けることができるものを広く採用することができる。
【００３６】
接地部材５は、次のようにしてＶＴＲ一体型ＤＶＤプレーヤＡに取り付けられる。まず、シャーシ１に取り付けられたメイン基板３にチューナ４を実装する。このとき、チューナ４の入力端子４１及び出力端子４２はＶＴＲ一体型ＤＶＤプレーヤＡの背面側（ビデオカセットＶｃ及びＤＶＤが挿入されるのと反対側の面）より外部に露出するように配置される。また、チューナ４はブラケット１１に近接する位置に配置される。
【００３７】
メイン基板３に実装されたチューナ４の入力端子４１が接触部５１の貫通孔５１１を貫通するとともに接触するように接地部材５を配置する。このとき、接触部５１の回り込み部５１２はチューナ４の側面と当接し、連結部５３の支持部５３１はチューナ４の上面と当接する。これにより、接地部材５をチューナ４に対して正確に位置決めすることが可能である。
【００３８】
また、接地部５２はブラケット１１を挟んで、チューナ４とは反対側に配置される。このとき、接地部５２はブラケット１１と接触していても良く、離れていてもよい。離れている場合であっても、上面カバー２を取り付けるのに邪魔にならないようにブラケット１１の近傍にあることが好ましい。接地部５２はブラケット１１の雌ねじ１２と重なる位置にボルト孔５２１が来るように配置されている。接地部５２はブラケット１１に沿って配置されるものであり、接地部５２は連結部５３の架渡し部５３２とブラケット１１の上部で連結している。このとき、架渡し部５３２がブラケット１１の上面又は上端部と当接していてもよい。
【００３９】
シャーシ１にメイン基板３を配置し、メイン基板３にチューナ４を実装し、チューナ４に上述したように接地部材５を配置した後、上面カバー２を配置固定する。上面カバー２はシャーシ１の底面１０の側端部とリブ２２１を当接させて配置し、脚部２２に形成されるボルト孔２２２がブラケット１１の雌ねじ１２と重なるように配置する。この状態で、上面カバー２の脚部２２の外部よりボルトＢｔを脚部２２のボルト孔２２２及び接地部５２の貫通孔５２１とを貫通させ、ブラケット１１の雌ねじ１２と螺合させて上面カバー２をシャーシ１に取付固定する。
【００４０】
これにより、チューナ４の入力端子４１と上面カバー２とが接地部材５を介して接地されるので、チューナ４にアンテナより入力されるテレビ放送に含まれる妨害電力を、取り除くことが可能である。また、シャーシ１と上面カバー２とを固定するボルトＢｔを用いて接地部材５の接地部５２を共締めするので、上面カバー２の脚部２２と接地部材５２の接触（接地）を確実に行うことができ、接地状態が不安定なることを抑制することができる。また、ボルトＢｔにて接地部５２の貫通孔５２１を貫通し固定するので、設置部材５がずれたり、外れたりする不具合が発生するのを抑制することが可能である。
【００４１】
図８に本発明にかかる電子機器の他の例の要部の背面図を、図９に図８に示す電子機器の要部の上側から見た図を示す。図８、図９に示す電子機器では、接地部材５ｂが異なる以外は、図２に示すＶＴＲ一体型ＤＶＤプレーヤＡと同じ部分が用いられており、実質上同じ部分には同一の符号がふしてある。接地部材５ｂは、接触部５１ｂの回り込み部５１２ｂがチューナ４のブラケット１１と対向している面と反対側の面に回り込み当接している。
【００４２】
また図９に示すように、連結部５３ｂの支持部５３１ｂと架渡し部５３２ｂとが一直線上に形成されている。これにより、接地部５ｂをチューナ４に正確に位置決めすることができるとともに、連結部５３ｂの形状を簡単なものにすることができるので、接地部材５ｂの製造に必要な工程及び時間を短縮することができ、それだけ、コストを低減することができる。
【００４３】
また、図１０に本発明にかかる電子機器のさらに他の例の要部の背面図を示す。図１０に示す接地部材５ｃのように、連結部５３ｃの架渡し部５３２ｃがわずかに湾曲するように形成されていてもよい。５３ｃを湾曲して形成することで、チューナ４とブラケット１１との距離が変化しても、連結部５３２ｃの湾曲の形状を変化させることで対応できるので、接地部材５ｃを多くの種類の電子機器に対して利用することができる。
【００４４】
さらに、図１１に本発明にかかる電子機器の要部の他の例の側部から見た配置図を示す。図１１に示す５ｄのように、接触部５１ｄが直接連結部５３ｄの支持部５３１ｄと連結するように形成されていてもよい。このように接触部５１ｄが形成されている場合、チューナ４の側面に当接する部分がなくなり、それだけ、製造に必要な金属板の大きさ、製造工程及び時間を減らすことができ、コストを低減することができる。
【００４５】
図１２に本発明にかかる電子機器に用いられる接地部材の正面図を示す。図１２に示すように、接地部材５ｅの接触部５１ｅには、チューナ４が係合する係合凹溝５１３ｅが形成されている。係合凹溝５１３ｅが形成されていることで、接地部材５ｅのチューナ４への取付方向を係合溝５１３ｅが開口している方向からの摺動で行うことができるので、狭い場所での接地部材５ｅの取り付けを容易に行うことが可能である。図１２に示す係合凹溝５１３ｅでは、接地部５２ｅの反対側に向かって開口しているものを例示しているがそれに限定されるものではなく、接地部材５ｅの他の部分が取り付けるの妨げにならないものを広く採用することが可能である。
【００４６】
上述の各図面をもとに説明した各実施例において特徴とする部分は、それぞれ、別に備えていても良く、可能な限り複数の特徴を兼ね備えているものであってもよい。
【００４７】
上記各実施例では電子機器の例としてＶＴＲ一体型ＤＶＤプレーヤを採用して説明しているが、それに限定されるものではなく、ＤＶＤレコーダ、ＴＶ受像機等テレビ放送を受信するためのチューナを備えたものを広く採用することができる。また、上記電子機器に備えられるチューナとしてアナログ放送、デジタル放送、有線放送等ＴＶ放送を受信できるチューナを広く採用することができる。また、上記各実施例ではチューナの入力端子に接地部材を取り付けるものを例に説明しているが、それに限定されるものではなく、出力端子に取り付けられるもの、入力端子及び出力端子いずれにも取り付けられるものであってもよい。
【産業上の利用可能性】
【００４８】
本発明は、アンテナを用いてテレビ放送を受信することができるチューナを備えたＤＶＤ、ＶＴＲ、ＴＶ等の電子機器において適用することができる。
【図面の簡単な説明】
【００４９】
【図１】本発明にかかる電子機器の一例であるＶＴＲ一体型ＤＶＤプレーヤの斜視図である。
【図２】図１に示すＶＴＲ一体型ＤＶＤプレーヤの要部の背面図である。
【図３】図２に示すＶＴＲ一体型ＤＶＤプレーヤの要部の側部から見た配置図である。
【図４】図２に示すＶＴＲ一体型ＤＶＤプレーヤの要部の上部から見た配置図である。
【図５】図２に示すＶＴＲ一体型ＤＶＤプレーヤの要部に用いられる接地部材の正面図である。
【図６】図２に示すＶＴＲ一体型ＤＶＤプレーヤの要部に用いられる接地部材の側面図である。
【図７】図２に示すＶＴＲ一体型ＤＶＤプレーヤの要部に用いられる接地部材の平面図である。
【図８】本発明にかかる電子機器の他の例の要部の背面図である。
【図９】図８に示す電子機器の要部の上側から見た図である。
【図１０】本発明にかかる電子機器のさらに他の例の要部の背面図である。
【図１１】本発明にかかる電子機器の他の例の要部の側部から見た配置図である。
【図１２】本発明にかかる電子機器に用いられる接地部材の他の例の正面図である。
【図１３】従来のＶＴＲのチューナに取り付けられている接地部の概略図である。
【符号の説明】
【００５０】
１  シャーシ
１０  底面
１１  ブラケット
１２  雌ねじ
２  上面カバー
２１  天板
２２  脚部
３  メイン基板
４  チューナ
４１  入力端子
４２  出力端子
４３  接続端子
５  接地部材
５１  接触部
５１１  貫通孔
５１２  回り込み部
５２  接地部
５２１  ボルト孔
５３  連結部
５３１  支持部
５３２  架渡し部
６  ＶＴＲユニット
７  ＤＶＤユニット
【図１】
2007207370.tif 000003
【図２】
2007207370.tif 000004
【図３】
2007207370.tif 000005
【図４】
2007207370.tif 000006
【図５】
2007207370.tif 000007
【図６】
2007207370.tif 000008
【図７】
2007207370.tif 000009
【図８】
2007207370.tif 000010
【図９】
2007207370.tif 000011
【図１０】
2007207370.tif 000012
【図１１】
2007207370.tif 000013
【図１２】
2007207370.tif 000014
【図１３】
2007207370.tif 000015